【手続補正書】
【提出日】平成23年10月3日(2011.10.3)
【手続補正１】
【補正対象書類名】明細書
【補正対象項目名】００３０
【補正方法】変更
【補正の内容】
【００３０】
このような脂肪族ポリエステルの例としては、（ａ）１種もしくは２種以上の以下の二塩基酸（またはそれらの誘導体）：コハク酸、アジピン酸、１，１２−ジカルボキシドデカン、フマル酸およびマレイン酸、ならびに（ｂ）１種もしくは２種以上の以下のジオール：エチレングリコール、ポリエチレングリコール、１，２−プロパンジオール、１，３−プロパンジオール、１，２−ブタンジオール、１，３−ブタンジオール、１，４−ブタンジオール、１，６−ヘキサンジオール、ジエチレングリコール、およびポロプロピレングリコール、ならびに（ｃ）所望による少量の、すなわち０．５〜７．０モル％の、２超の官能価を備えたポリオール、例えばグリセロールまたはペンタエリスリトール、から誘導されたそれらの単独および共重合体が挙げられる。
【手続補正２】
【補正対象書類名】明細書
【補正対象項目名】００４８
【補正方法】変更
【補正の内容】
【００４８】
ここで用いられる、単独もしくは複合語の中で用いられている用語「アルキル」は、直鎖、分岐または環式アルキル、例えばＣ１−４０アルキル、もしくはＣ１−２０もしくはＣ１−１０を表す。直鎖および分岐アルキルの例としては、メチル、エチル、ｎ−プロピル、イソプロピル、ｎ−ブチル、ｓｅｃ−ブチル、ｔ−ブチル、ｎ−ペンチル、１，２−ジメチルプロピル、１，１−ジメチルプロピル、ヘキシル、４−メチルペンチル、１−メチルペンチル、２−メチルペンチル、３−メチルペンチル、１，１−ジメチルブチル、２，２−ジメチルブチル、３，３−ジメチルブチル、１，２−ジメチルブチル、１，３−ジメチルブチル、１，２，２−トリメチルプロピル、１，１，２−トリメチルプロピル、ヘプチル、５−メチルヘキシル、１−メチルヘキシル、２，２−ジメチルペンチル、３，３−ジメチルペンチル、４，４−ジメチルペンチル、１，２−ジメチルペンチル、１，３−ジメチルペンチル、１，４−ジメチルペンチル、１，２，３−トリメチルブチル、１，１，２−トリメチルブチル、１，１，３−トリメチルブチル、オクチル、６−メチルヘプチル、１−メチルヘプチル、１，１，３，３−テトラメチルブチル、ノニル、１−，２−，３−，４−，５−，６−もしくは７−メチルオクチル、１−，２−，３−，４−もしくは５−エチルヘプチル、１−，２−もしくは３−プロピルへキシル、１−，２−，３−，４−，５−，６−，７−および８−メチルノニル、１−，２−，３−，４−，５−もしくは６−エチルオクチル、１−，２−，３−もしくは４−プロピルヘプチル、ウンデシル、１−，２−，３−，４−，５−，６−，７−，８−もしくは９−メチルデシル、１−，２−，３−，４−，５−，６−もしくは７−エチルノニル、１−，２−，３−，４−もしくは５−プロピルオクチル、１−，２−もしくは３−ブチルヘプチル、１−ペンチルへキシル、ドデシル、１−，２−，３−，４−，５−，６−，７−，８−，９−もしくは１０−メチルウンデシル、１−，２−，３−，４−，５−，６−，７−もしくは８−エチルデシル、１−，２−，３−，４−，５−もしくは６−プロピルノニル、１−，２−，３−もしくは４−ブチルオクチル、１−もしくは２−ペンチルヘプチル、トリデシル、テトラデシル、ペンタデシル、ヘキサデシル、ヘプタデシル、オクタデシル、ノナデシル、エイコシルなどが挙げられる。環式アルキルの例としては、単環式もしくは多環式アルキル基、例えばシクロプロピル、シクロブチル、シクロペンチル、シクロへキシル、シクロペンチル、シクロオクチル、シクロノニル、シクロデシルなどが挙げられる。アルキル基が、一般に「プロピル」、「ブチル」などと称される場合には、これは、必要に応じて、直鎖、分岐および環式異性体のいずれかを示すことができることが理解されなければならない。アルキル基は、所望により、ここに規定されるような、１種もしくは２種以上の所望の置換基によって置換されていてもよい。
【手続補正３】
【補正対象書類名】明細書
【補正対象項目名】００５２
【補正方法】変更
【補正の内容】
【００５２】
ここで用いられる用語「アリール」（または「カルボアリール（carboaryl）」は、芳香族炭化水素環系の、単環式、多環式、共役および縮合した残基のいずれかを表す。アリールの例としては、フェニル、ビフェニル、テルフェニル、クアテルフェニル、ナフチル、テトラヒドロナフチル、アントラセニル、ジヒドロアントラセニル、ベンゾアントラセニル、ジベンゾアントラセニル、フェナントレニル、フルオレニル、ピレニル、インデニル（indenyl）、アズレニル、クリセニルが挙げられる。好ましいアリールとしては、フェニルおよびナフチルが挙げられる。アリール基は、ここで規定した１種もしくは２種以上の所望による置換基によって置換されていてもよい。
【手続補正４】
【補正対象書類名】明細書
【補正対象項目名】００５６
【補正方法】変更
【補正の内容】
【００５６】
好ましい所望による置換基としては、前記の反応性官能基または部分、ポリマー鎖、およびアルキル（例えば、Ｃ１−６アルキル、例えばメチル、エチル、プロピル、ブチル、シクロプロピル、シクロブチル、シクロペンチルもしくはシクロへキシル）、ヒドロキシアルキル（例えば、ヒドロキシメチル、ヒドロキシエチル、ヒドロキシプロピル）、アルコキシアルキル（例えば、メトキシメチル、メトキシエチル、メトキシプロピル、エトキシメチル、エトキシエチル、エトキシプロピルなど）、アルコキシ（例えば、Ｃ１−６アルコキシ、例えばメトキシ、エトキシ、プロポキシ、ブトキシ、シクロプロポキシ、シクロブトキシ）、ハロ、トリフルオロメチル、トリクロロメチル、トリブロモメチル、ヒドロキシ、フェニル（これはそれ自身が更に、例えばＣ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、ベンジル（ここで、ベンジル自身が更に、例えば、Ｃ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、フェノキシ（ここで、フェニル自身が更に、例えばＣ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、ベンジルオキシ（ここで、ベンジル自身が更に、例えばＣ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、アミノ、アルキルアミノ（例えば、Ｃ１−６アルキル、例えばメチルアミノ、エチルアミノ、プロピルアミノなど）、ジアルキルアミノ（例えば、Ｃ１−６アルキル、例えばジメチルアミノ、ジエチルアミノ、ジプロピルアミノ）、アシルアミノ（例えば、ＮＨＣ(Ｏ)ＣＨ３）、フェニルアミノ（ここで、フェニル自身が更に、例えばＣ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、ニトロ、ホルミル、−Ｃ(Ｏ)−アルキル（例えば、Ｃ１−６アルキル、例えばアセチル）、Ｏ−Ｃ(Ｏ)−アルキル（例えば、Ｃ１−６アルキル、例えばアセチルオキシ）、ベンゾイル（ここで、フェニル基自身が更に、例えばＣ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、ＣＨ２のＣ＝Ｏでの置き換え、ＣＯ２Ｈ、ＣＯ２アルキル（例えば、Ｃ１−６アルキル、例えばメチルエステル、エチルエステル、プロピルエステル、ブチルエステル）、ＣＯ２フェニル（ここでフェニル自身が更に、例えばＣ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、ＣＯＮＨ２、ＣＯＮＨフェニル（ここで、フェニル自身が更に、例えばＣ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、ＣＯＮＨベンジル（ここで、ベンジル自身が更に、例えばＣ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、ＣＯＮＨアルキル（例えば、Ｃ１−６アルキル、例えばメチルアミド、エチルアミド、プロピルエアミド、ブチルアミド）、ＣＯＮＨジアルキル（例えば、Ｃ１−６アルキル）、アミノアルキル（例えば、ＨＮＣ１−６アルキル−、Ｃ１−６アルキルＨＮ−Ｃ１−６アルキル−、および（Ｃ１−６アルキル）２Ｎ−Ｃ１−６アルキル−）、チオアルキル（例えば、ＨＳＣ１−６アルキル−）、カルボキシアルキル（例えば、ＨＯ２ＣＣ１−６アルキル−）、カルボキシエステルアルキル（例えば、Ｃ１−６アルキルＯ２ＣＣ１−６アルキル−）、アミドアルキル（例えば、Ｈ２Ｎ(Ｏ)ＣＣ１−６アルキル−、Ｈ(Ｃ１−６アルキル)Ｎ(Ｏ)ＣＣ１−６アルキル−）、ホルミルアルキル（例えば、ＯＨＣＣ１−６アルキル−）、アシルアルキル（例えば、Ｃ１−６アルキル(Ｏ)ＣＣ１−６アルキル−）、ニトロアルキル（例えば、Ｏ２ＮＣ１−６アルキル−）、スルホキシドアルキル（例えば、Ｒ(Ｏ)ＳＣ１−６アルキル、例えば、Ｃ１−６アルキル(Ｏ)ＳＣ１−６アルキル−）、スルホニルアルキル（例えば、Ｒ(Ｏ)２ＳＣ１−６アルキル−、例えばＣ１−６アルキル(Ｏ)２ＳＣ１−６アルキル−）、スルホナミドアルキル（例えば、２ＨＲＮ(Ｏ)ＳＣ１−６アルキル、Ｈ(Ｃ１−６アルキル)Ｎ(Ｏ)ＳＣ１−６アルキル−）、が挙げられる。
【手続補正５】
【補正対象書類名】明細書
【補正対象項目名】００６１
【補正方法】変更
【補正の内容】
【００６１】
用語「へテロアリール」は、単環、多環、縮合もしくは共役炭化水素のいずれかを含み、ここで１個もしくは２個以上の炭素原子は、ヘテロ原子によって置換されており、芳香族残基を与える。好ましいヘテロアリールは、３〜２０個の環原子、例えば３〜１０個を有している。特に好ましいヘテロアリールは、５〜５および９〜１０員の二環型の環系である。好適なヘテロ原子としては、Ｏ、Ｎ、Ｓ、ＰおよびＳｅ、特にはＯ、ＮおよびＳ、が挙げられる。２個または３個以上の炭素原子が置き換えられている場合には、これは２個もしくは３個以上の同じへテロ原子によるものでも、または異なるヘテロ原子によるものでもよい。ヘテロアリール基の好適な例としては、ピリジル、ピロリル、チエニル、イミダゾリル、フラニル、ベンゾチエニル、イソベンゾチエニル、ベンゾフラニル、イソベンゾフラニル、インドリル、イソインドリル、ピラゾリル、ピラジニル、ピリミジニル、ピリダジニル、インドリジニル、キノリル、イソキノリル、フタラジニル、１，５−ナフチリジニル、キノザリニル、キナゾリニル、キノリニル、オキサゾリル、チアゾリル、イソチアゾリル、イソオキサゾリル、トリアゾリル、オキサジアゾリル（oxadiazolyl）、オキサトリアゾリル、トリアジニルおよびフラザニル、を挙げることができる。
【手続補正６】
【補正対象書類名】明細書
【補正対象項目名】００６２
【補正方法】変更
【補正の内容】
【００６２】
単独または複合語中で用いられる用語「アシル」は、部分Ｃ＝Ｏを含む基（そしてカルボン酸、エステルもしくはアミドではない）を表している。好ましいアシルとしては、Ｃ(Ｏ)−Ｒｘが挙げられ、ここでＲｘは、水素またはアルキル、アルケニル、アルキニル、アリール、ヘテロアリール、カルボシクリル、もしくはヘテロシクリル残基である。アシルの例としては、ホルミル、直鎖もしくは分岐アルカノイル（例えば、Ｃ１−２０）、例えば、アセチル、プロパノイル、ブタノイル、２−メチルプロパノイル、ペンタノイル、２，２−ジメチルプロパノイル、ヘキサノイル、ヘプタノイル、オクタノイル、ノナノイル、デカノイル、ウンデカノイル、ドデカノイル、トリデカノイル、テトラデカノイル、ペンタデカノイル、ヘキサデカノイル、ヘプタデカノイル、オクタデカノイル、ノナデカノイルおよびイコサノイル（icosanoyl）；シクロアルキルカルボニル、例えばシクロプロピルカルボニル、シクロブチルカルボニル、シクロペンチルカルボニルおよびシクロへキシルカルボニル；アロイル、例えばベンゾイル、トルオイルおよびナフトイル；アラルカノイル、例えば、フェニルアルカノイル（例えば、フェニルアセチル、フェニルプロパノイル、フェニルブタノイル、フェニルイソブタノイル、フェニルペンタノイルおよびフェニルヘキサノイル）およびナフチルアルカノイル（例えば、ナフチルアセチル、ナフチルプロパノイルおよびナフチルブタノイル）；アラルケノイル（aralkenoyl）、例えばフェニルアルケノイル（例えば、フェニルプロペノイル、フェニルブテノイル、フェニルメタクロイル、フェニルペンテノイルおよびフェニルヘキセノイルおよびナフチルアルケノイル（例えば、ナフチルプロペノイル、ナフチルブテノイルおよびナフチルペンテノイル）；アリールオキシアルカノイル、例えばフェノキシアセチルおよびフェノキシプピオニル；アリールチオカルバモイル、例えばフェニルチオカルバモイル；アリールグリオキシロイル、例えばフェニルグリオキシロイルおよびナフチルグリオキシロイル；アリールスルホニル、例えばフェニルスルホニルおよびナフチルスルホニル；ヘテロ環式カルボニル；へテロ環式アルカノイル、例えばチエニルアセチル、チエニルプロパノイル、チエニルブタノイル、チエニルペンタノイル、チエニルヘキサノイル、チアゾリルアセチル、チアジアゾリルアセチルおよびテトラゾイルアセチル；へテロ環式アルケノイル、例えばヘテロ環式プロペノイル、ヘテロ環式ブテノイル、ヘテロ環式ペンテノイルおよびヘテロ環式ヘキセノイル；ならびにヘテロ環式グリオキシロイル、例えばチアゾリグリオキシロイル（thiazolyglyoxyloyl）およびチエニルグリオキシオイル、が挙げられる。Ｒｘ残基は、場合によっては、ここに記載したように置換されていてもよい。
【手続補正７】
【補正対象書類名】明細書
【補正対象項目名】００８５
【補正方法】変更
【補正の内容】
【００８５】
本発明によれば、脂肪族縮合ポリマーは、一般式（Ｉ）の環式エステルと溶融混合される。溶融混合は、当技術分野において知られている方法を用いて行なうことができる。例えば、溶融混合は、連続式押出装置、例えば二軸押出機、単軸押出機、他の多軸押出機およびファレル混合機（Farrel mixers）を用いて実行することができる。また、半連続式またはバッチ式処理装置も、溶融混合を実行するために用いることができる。そのような装置の例としては、射出成形機、バンバリーミキサーおよびバッチミキサーが挙げられる。静的溶融混合装置もまた用いることができる。
【手続補正８】
【補正対象書類名】明細書
【補正対象項目名】００９４
【補正方法】変更
【補正の内容】
【００９４】
例えば、本発明によって、一般式（Ｉ）の環式エステル（例えば、カプロラクトン）で改質された脂肪族ポリエステル（例えば、ポリ乳酸、ポリヒドロキシブチレート（polyhydroxybutyrate）、およびポリブチレンスクシナートアジペート）は、改善された可撓性および柔軟性、そして場合によっては増大した引裂抵抗を表すことが示された。
【手続補正９】
【補正対象書類名】明細書
【補正対象項目名】０１０１
【補正方法】変更
【補正の内容】
【０１０１】
ポリオキサゾリン／ポリオキサゾロン、例えば、２，２−ビス（２−オキザゾリン）；１，３−フェニレンビス（２−オキサゾリン−２）、１，２−ビス（２−オキザゾリニル−２）エタン；２−フェニル−１，３−オキサゾリン；２，２’−ビス（５，６−ジヒドロ−４Ｈ−１，３−オキサゾリン）；Ｎ，Ｎ’−ヘキサメチレンビス（カルバモイル−２−オキサゾリン）；ビス［５（４Ｈ）−オキサゾロン）］；ビス（４Ｈ−３，１−ベンゾキサジン−４−オン）；２，２’−ビス（Ｈ−３，１−ベンゾイン（benzoin）−４−オン）。
【手続補正１０】
【補正対象書類名】明細書
【補正対象項目名】０１０２
【補正方法】変更
【補正の内容】
【０１０２】
多官能性酸無水物、例えば、ピロメリット酸二無水物、ベンゾフェノンテトラカルボン酸二無水物、シクロペンタンテトラカルボン酸二無水物、ジフェニルスルホンテトラカルボン酸二無水物、５−（２，５−ジオキソテトラヒドロ−３−フラニル）−３−メチル−３−シクロヘキセン−１，２−ジカルボン酸二無水物、ビス（３，４−ジカルボキシフェニル）エーテル二無水物、ビス（３，４−ジカルボキシフェニル）チオエーテル二無水物、ビスフェノールＡビスエーテル二無水物、２，２−ビス（３，４−ジカルボキシフェニル）ヘキサフルオロプロパン二無水物、２，３，６，７−ナフタレンテトラカルボン酸二無水物、ビス（３，４−ジカルボキシフェニル）スルホン二無水物、１，２，５，６−ナフタレンテトラカルボン酸二無水物、２，２’，３，３’−ビフェニルテトラカルボン酸無水物、ヒドロキノンビスエーテル二無水物、３，４，９，１０−ペリレンテトラカルボン酸二無水物、１，２，３，４−シクロブタンテトラカルボン酸二無水物、３，４−ジカルボキシ−１，２，３，４−テトラヒドロ−１ナフタレン−コハク酸二無水物、ビシクロ（２，２）オクタ−７−エン−２，３，５，６−テトラカルボン酸二無水物、テトラヒドロフラン−２，３，４，５−テトラカルボン酸二無水物、２，２−ビス（３，４−ジカルボキシフェニル）プロパン二無水物、３，３’，４，４’−ビフェニルテトラカルボン酸二無水物、４，４’−オキシジフタル酸二無水物（ＯＤＰＡ）、およびエチレンジアミン四酢酸二無水物（ＥＤＴＡｈ）。
【手続補正１１】
【補正対象書類名】明細書
【補正対象項目名】０１４０
【補正方法】変更
【補正の内容】
【０１４０】
押出された試料は、次いで溶融プレスされるが、乾燥窒素でパージされた試料用広口ビン中に収集した。溶融プレスは、プレスの後に試料を冷却するように、水が通る黄銅板を備えたＩＨＭＳ溶融プレス（２５０×２５０ｍｍプラテン（platen））中で行なった。試料はテフロン（登録商標）シートの間でプレスした。溶融プレスには、１５０×１５０×０．１５０ｍｍのシム板を用いた。
【手続補正１２】
【補正対象書類名】明細書
【補正対象項目名】０１４３
【補正方法】変更
【補正の内容】
【０１４３】
実験に用いた１００ｍＬの丸底フラスコは、洗浄し、そして８０℃に設定したオーブン中で乾燥した。オーブンから取り出したら、このフラスコに栓をし、そして冷却した。試薬を加えるためにフラスコを開けたときには、このフラスコを乾燥窒素でフラッシュした。次いで、このフラスコに、２枚の羽根を有する金属攪拌機を備え付けた。この攪拌機は、オーバーヘッドの駆動モーターに連結した。この攪拌機は、ゴムシールを備えたテフロン（登録商標）ベアリングを備え付けたガラスアダプタによって、所定の位置に保持した。また、このガラスアダプタは、水冷のLiebig凝縮器と水分の浸入を防ぐための別個の窒素導入口を備え付けた。
【手続補正１３】
【補正対象書類名】特許請求の範囲
【補正対象項目名】全文
【補正方法】変更
【補正の内容】
【特許請求の範囲】
【請求項１】
ポリマー組成物の調製方法であって、脂肪族縮合ポリマーを、一般式（Ｉ）で表され、
【化１】
2011517717.tif 000001
式中、Ｘは、環中に存在する２個もしくは３個以上の炭素原子を有する、置換されていてもよい炭化水素である、環式エステルと溶融混合することを含む方法。
【請求項２】
前記脂肪族縮合ポリマーが、ポリエステル、ポリアミド、それらの共重合体、およびそれらの混合物から選ばれる、請求項１記載の方法。
【請求項３】
前記ポリエステルが、ポリ（ヒドロキシアルカノアート）である、請求項２記載の方法。
【請求項４】
前記ポリ（ヒドロキシアルカノアート）が、ポリ（３−ヒドロキシブチラート）、ポリ（４−ヒドロキシブチラート）、ポリ（３−ヒドロキシバレレート）、ポリ（乳酸）、ポリ（３−ヒドロキシプロパノアート）、ポリ（４−ヒドロペンタノアート）、ポリ（３−ヒドロキシペンタノアート）、ポリ（３−ヒドロキシヘキサノアート）、ポリ（３−ヒドロキシヘプタノアート）、ポリ（３−ヒドロキシオクタノアート）、ポリジオキサノン、ポリカプロラクトン、ポリグリコール酸、の単独および共重合体、およびそれらの混合物から選ばれる、請求項３記載の方法。
【請求項５】
前記ポリエステルが、１種もしくは２種以上のアルキルジオールと１種もしくは２種以上のアルキルジカルボン酸またはそれらのアシル誘導体との反応生成物である、請求項２記載の方法。
【請求項６】
前記ポリエステルが、（ａ）コハク酸、アジピン酸、１，１２−ジカルボキシドデカン、フマル酸およびマレイン酸から選ばれる１種もしくは２種以上のアルキルジカルボン酸、および（ｂ）エチレングリコール、ポリエチレングリコール、１，２−プロパンジオール、１，３−プロパンジオール、１，２−ブタンジオール、１，３−ブタンジオール、１，４−ブタンジオール、１，６−ヘキサンジオール、ジエチレングリコール、およびポロプロピレングリコールから選ばれる１種もしくは２種以上のアルキルジオールの反応生成物である、請求項５記載の方法。
【請求項７】
前記ポリエステルが、ポリブチレンスクシネート単独重合体、ポリブチレンアジペート単独重合体、ポリブチレンアジペート−スクシネート共重合体、ポリエチレンスクシネート−アジペート共重合体、ポリエチレンアジペート単独重合体、およびそれらの混合物から選ばれる、請求項６記載の方法。
【請求項８】
前記ポリアミドが、１種もしくは２種以上のアルキルジアミンと１種もしくは２種以上のアルキルジカルボン酸との反応生成物である、請求項２記載の方法。
【請求項９】
前記ポリアミドが、ポリ（テトラメチレンアジポアミド）（ナイロン４，６）、ポリ（ヘキサメチレンアジポアミド）（ナイロン６，６）、ポリ（ヘキサメチレンアゼロアミド）(ナイロン６，９）、ポリ（ヘキサメチレンセバコアミド）（ナイロン６，１０）、ポリ（ヘプタメチレンピメロアミド）（ナイロン７，７）、ポリ（オクタメチレンスベロアミド）（ナイロン８，８）、ポリ（ノナメチレンアゼロアミド）(ナイロン９，９）、およびポリ（デカメチレンアゼロアミド）(ナイロン１０，９）から選ばれる、請求項８記載の方法。
【請求項１０】
前記ポリアミドが、１種もしくは２種以上のアルキルアミノ酸および／またはそれらのラクタム誘導体の重合生成物である、請求項２記載の方法。
【請求項１１】
前記ポリアミドが、ポリ（４−アミノ酪酸）（ナイロン４）、ポリ（６−アミノヘキサン酸）（ナイロン６）、ポリ（７−アミノヘプタン酸）（ナイロン７）、ポリ（８−アミノオクタン酸）（ナイロン８）、ポリ（９−アミノノナン酸）（ナイロン９）、ポリ（１０−アミノデカン酸）（ナイロン１０）、ポリ（１１−アミノウンデカン酸）（ナイロン１１）、ポリ（１２−アミノドデカン酸）（ナイロン１２）、およびそれらの混合物から選ばれる、請求項１０記載の方法。
【請求項１２】
前記一般式（Ｉ）中のＸが、置換されていてもよい直鎖もしくは分岐アルキレン、アルケニレンまたはアルキニレン基である、請求項１〜１１のいずれか１項記載の方法。
【請求項１３】
前記一般式（Ｉ）中のＸが、非置換の直鎖もしくは分岐アルキレン、アルケニレンまたはアルキニレン基である、請求項１〜１１のいずれか１項記載の方法。
【請求項１４】
前記一般式（Ｉ）中のＸが、環中に存在する５〜２０個の炭素原子を有する、請求項１〜１３のいずれか１項記載の方法。
【請求項１５】
前記一般式（Ｉ）の環式エステルが、一般式（ＩＩ）で表され、
【化２】
2011517717.tif 000002
式中、ＸＨは、２個もしくは３個以上の炭素原子を有する、ヒドロキシル化された、置換されていてもよい脂肪族炭化水素である、ヒドロキシカルボン酸の縮合残基である、請求項１〜１１のいずれか１項記載の方法。
【請求項１６】
前記一般式（ＩＩ）のヒドロキシカルボン酸が、ヒドロキシ酪酸、ヒドロキシ吉草酸、ヒドロキシカプロン酸、ヒドロキシカプリル酸、ヒドロキシペラルゴン酸、ヒドロキシカプリン酸、ヒドロキシラウリン酸、ヒドロキシミリスチン酸、ヒドロキシパルミチン酸、ヒドロキシマルガリン酸、ヒドロキシステアリン酸、ヒドロキシアラキン酸、ヒドロキシベヘン酸、ヒドロキシリグノセリン酸、ヒドロキシセロチン酸、ヒドロキシカルボセリン酸、ヒドロキシモンタン酸、ヒドロキシメリシン酸、ヒドロキシラクセロン酸、ヒドロキシセロメリッシン酸、ヒドロキシゲダ酸、ヒドロキシセロプラスチン酸、ヒドロキシオブツシル酸、ヒドロキシカプロレイン酸、ヒドロキシラウロレイン酸、ヒドロキシリンデル酸、ヒドロキシミリストレイン酸、ヒドロキシフィセテリン酸、ヒドロキシツズ酸、ヒドロキシパルミトレイン酸、ヒドロキシサピエン酸、ヒドロキペトロセリン酸、ヒドロキシオレイン酸、ヒドロキシエライジン酸、ヒドロキシバクセン酸、ヒドロキシガドレイン酸、ヒドロキシゴンドイン酸、ヒドロキシセトレイン酸、ヒドロキシエルカ酸、ヒドロキシネルボン酸、ヒドロキシリノール酸、ヒドロキシγ−リノレン酸、ヒドロキシジホモ−γ−リノレン酸、ヒドロキシアラキドン酸、ヒドロキシリノレン酸、ヒドロキシステアリドン酸、ヒドロキシニシン酸、およびヒドロキシミード酸から選ばれる、請求項１５記載の方法。
【請求項１７】
前記環式エステルと前記脂肪族縮合ポリマーの総質量に対して、５質量％〜３５質量％の前記環式エステルが、前記脂肪族縮合ポリマーと溶融混合される、請求項１〜１６のいずれか１項記載の方法。
【請求項１８】
前記環式エステルが、１種もしくは２種以上の担体ポリマーおよび環式エステルを含む組成物ならびに／あるいは１種もしくは２種以上の担体ポリマーと環式エステルとを含む組成物の溶融混合によって形成される生成物の形態で提供される、請求項１〜１６のいずれか１項記載の方法。
【請求項１９】
前記環式エステル組成物が、前記環式エステルおよび１種もしくは２種以上の担体ポリマーを含む組成物の溶融混合によって調製される、請求項１８記載の方法。
【請求項２０】
前記１種もしくは２種以上の担体ポリマーが、請求項１記載の脂肪族縮合ポリマーと同じ種類の脂肪族縮合ポリマーである、請求項１８または１９記載の方法。
【請求項２１】
前記環式エステル組成物中の前記環式エステルと前記脂肪族縮合ポリマーの総質量に対して、３０質量％〜８０質量％の前記環式エステルが、前記脂肪族縮合ポリマーと溶融混合される、請求項２０記載の方法。
【請求項２２】
請求項１〜２１のいずれか１項記載の方法によって調製されるポリマー組成物。
【請求項２３】
脂肪族縮合ポリマーを改質するためのポリマー組成物であって、１種もしくは２種以上の担体ポリマーおよび一般式（Ｉ）の環式エステル、ならびに／あるいは１種もしくは２種以上の担体ポリマーおよび一般式（Ｉ）で表され、
【化３】
2011517717.tif 000003
式中、Ｘは、環中に存在する２個もしくは３個以上の炭素原子を有する、置換されていてもよい炭化水素である、環式エステルを含む組成物を溶融混合することによって形成された生成物、を含むポリマー組成物。
【請求項２４】
前記１種もしくは２種以上の担体ポリマーが、脂肪族縮合ポリマーである、請求項２３記載のポリマー組成物。
【請求項２５】
前記脂肪族縮合ポリマーが、ポリエステル、ポリアミド、それらの共重合体、およびそれらの混合物から選ばれる、請求項２３または２４記載のポリマー組成物。
【請求項２６】
前記一般式（Ｉ）中のＸが、置換されていてもよい直鎖もしくは分岐アルキレン、アルケニレンまたはアルキニレン基である、請求項２３〜２５のいずれか１項記載のポリマー組成物。
【請求項２７】
前記一般式（Ｉ）の環式エステルが、一般式（ＩＩ）で表され、
【化４】
2011517717.tif 000004
式中、ＸＨは、２個もしくは３個以上の炭素原子を有する、ヒドロキシル化された、置換されていてもよい脂肪族炭化水素である、ヒドロキシカルボン酸の縮合残基である、請求項２３〜２６のいずれか１項記載のポリマー組成物。
【請求項２８】
前記一般式（ＩＩ）のヒドロキシカルボン酸が、ヒドロキシ酪酸、ヒドロキシ吉草酸、ヒドロキシカプロン酸、ヒドロキシカプリル酸、ヒドロキシペラルゴン酸、ヒドロキシカプリン酸、ヒドロキシラウリン酸、ヒドロキシミリスチン酸、ヒドロキシパルミチン酸、ヒドロキシマルガリン酸、ヒドロキシステアリン酸、ヒドロキシアラキン酸、ヒドロキシベヘン酸、ヒドロキシリグノセリン酸、ヒドロキシセロチン酸、ヒドロキシカルボセリン酸、ヒドロキシモンタン酸、ヒドロキシメリシン酸、ヒドロキシラクセロン酸、ヒドロキシセロメリッシン酸、ヒドロキシゲダ酸、ヒドロキシセロプラスチン酸、ヒドロキシオブツシル酸、ヒドロキシカプロレイン酸、ヒドロキシラウロレイン酸、ヒドロキシリンデル酸、ヒドロキシミリストレイン酸、ヒドロキシフィセテリン酸、ヒドロキシツズ酸、ヒドロキシパルミトレイン酸、ヒドロキシサピエン酸、ヒドロキペトロセリン酸、ヒドロキシオレイン酸、ヒドロキシエライジン酸、ヒドロキシバクセン酸、ヒドロキシガドレイン酸、ヒドロキシゴンドイン酸、ヒドロキシセトレイン酸、ヒドロキシエルカ酸、ヒドロキシネルボン酸、ヒドロキシリノール酸、ヒドロキシγ−リノレン酸、ヒドロキシジホモ−γ−リノレン酸、ヒドロキシアラキドン酸、ヒドロキシリノレン酸、ヒドロキシステアリドン酸、ヒドロキシニシン酸、およびヒドロキシミード酸から選ばれる、請求項２７記載のポリマー組成物。
【請求項２９】
脂肪族縮合ポリマーおよび一般式（Ｉ）の環式エステル、ならびに／あるいは脂肪族縮合ポリマーおよび一般式（Ｉ）で表され、
【化５】
2011517717.tif 000005
式中、Ｘは、環中に２個もしくは３個以上の炭素原子を有する、置換されていてもよい脂肪族炭化水素である、環式エステルを含む組成物を溶融混合することによって形成される生成物を含むポリマー組成物。